(57)【要約】      （修正有）【課題】渋柿に簡単に取り付けられ脱渋することができる渋柿の脱渋用具を提供する。【解決手段】渋柿にアルコールを吸収させて脱渋させる渋柿の脱渋用具１において、アルコール放出部２と、粘着層３１を備えた貼着シート３と、を備え、アルコール放出部２は、貼着シート２の粘着層３１側の表面に取り付けられ、貼着シート３は、アルコール難透過性を備えた。【選択図】図１
2014007974.tif 000002
【特許請求の範囲】
【請求項１】
渋柿にアルコールを吸収させて脱渋させる渋柿の脱渋用具において、
アルコール放出部と、
粘着層を備えた貼着シートと、
を備え、
前記アルコール放出部は、前記貼着シートの前記粘着層側の表面に取り付け又は載置され、
前記貼着シートは、アルコール難透過性を備えた
ことを特徴とする渋柿の脱渋用具。
【請求項２】
請求項１に記載の渋柿の脱渋用具において、
前記アルコール放出部は、アルコールが吸収されたアルコール吸収材料である
ことを特徴とする渋柿の脱渋用具。
【請求項３】
請求項１に記載の渋柿の脱渋用具において、
前記アルコール放出部は、固形アルコールである
ことを特徴とする渋柿の脱渋用具。
【請求項４】
請求項１から３のいずれか一つに記載の渋柿の脱渋用具において、
前記アルコール放出部は、包容部材で包まれ、
該包容部材は、少なくとも渋柿に臨む側がアルコール透過性を備えた
ことを特徴とする渋柿の脱渋用具。
【請求項５】
請求項１から４のいずれか一つに記載の渋柿の脱渋用具において、
前記貼着シートは、前記アルコール放出部が収容される断面略ハット形状に付形された
ことを特徴とする渋柿の脱渋用具。
【請求項６】
請求項５に記載の渋柿の脱渋用具において、
前記粘着層は、前記断面略ハット形状における鍔部のみに設けられた
ことを特徴とする渋柿の脱渋用具。
【請求項７】
請求項１から４のいずれか一つに記載の渋柿の脱渋用具において、
前記貼着シートは、渋柿に貼着するよう湾曲して形成された
ことを特徴とする渋柿の脱渋用具。
【請求項８】
渋柿にアルコールを吸収させて脱渋させる渋柿の脱渋用具において、
前記アルコール放出部と、
前記アルコール放出部が包容された包容部材と、を備え、
前記包容部材は、渋柿に接触される接触面を備え、
該接触面は、渋柿に粘着する粘着層を備えた粘着部と、
渋柿に向かってアルコールを透過させるためのアルコール透過部と、
を備え、
前記包容部材の前記接触面以外の包容部が、アルコール難透過性を備えた
ことを特徴とする渋柿の脱渋用具。
【請求項９】
請求項８に記載の渋柿の脱渋用具において、
前記粘着部は、前記接触面の周縁部に設けられた
ことを特徴とする渋柿の脱渋用具。
【請求項１０】
収穫前の渋柿にアルコールを吸収させ渋柿の渋抜きを行う樹上脱渋方法において、
請求項１から９のいずれか一つに記載の脱渋用具を収穫前の渋柿に貼着する
ことを特徴とする樹上脱渋方法。
【請求項１１】
収穫前の渋柿にアルコールを吸収させ渋柿の渋抜きを行う樹上脱渋方法において、
アルコール放出部を包容しアルコールを透過させるアルコール透過部を備えた包容部材を、収穫前の渋柿に、前記アルコール透過部を該渋柿に当接させて貼着する
ことを特徴とする樹上脱渋方法。
【発明の詳細な説明】
【技術分野】
【０００１】
本発明は、渋柿の脱渋用具及びそれを用いた樹上脱渋方法に関する。
【背景技術】
【０００２】
柿を渋いと感じるかは、柿に含まれるタンニンが口の中で溶けるかどうかで決まる。溶けると渋く感じ、溶けなければ渋みを感じない。
【０００３】
従来、渋柿から渋味を抜く方法として渋柿をさわす方法があった。その方法の一つにアルコール抜き法（樽さわし法）がある。この方法では、樽の底にワラを敷き、収穫した渋柿を詰め、焼酎を振りかけ、蓋をして周囲を目張りする。焼酎のアルコールが果実中の酵素によってアセトアルデヒドに変化し、渋味成分のタンニンがこのアセトアルデヒドと結合して、水不溶性のコロイドに変化し、渋柿は渋味を失う。
【０００４】
しかしながら、この方法によって渋柿から渋味を抜いても、渋柿は熟し過ぎた柿のような軟弱な柿となり、流通段階において傷ついたり傷んだりし易かった。
【０００５】
このため、収穫前の渋柿から渋抜きをする樹上脱渋方法が工夫されていた。この脱渋方法は、図６に示すように、熟す前の渋柿１００にプラスチック製の袋１１０を被せ、この袋の中に固形アルコール１１１を入れ密封するものである。この密封は、通常６〜１２時間程度行われ、この密閉処理から５〜１０日経過後に柿が収穫されていた（特許文献１参照）。
【先行技術文献】
【特許文献】
【０００６】
【特許文献１】特許第２６３４５５７号公報
【発明の概要】
【発明が解決しようとする課題】
【０００７】
しかしながら、上記従来の技術では、樹上の渋柿に袋を被せる際１個ずつ袋口を輪ゴムで縛って密閉する必要があるため、渋柿に袋を被せる作業が面倒であった。また、渋柿畑は急勾配の地に設けられることもあり、この場合、足場の悪さがこの作業をより困難にしていた。さらに、被せる作業を行う前に、袋に固形アルコールを入れたり、袋の口を輪ゴムで縛ったりする作業も要するため、やはり面倒であった。その上、袋を被せる際渋柿に水滴が付着していると、袋内でアルコールの発散が阻害されてしまうため、渋柿が軟弱になる虞があった。それゆえ、雨が降ると袋を被せる作業を中止しなければならなくなる不都合もあった。
【０００８】
本発明は、上記従来技術における課題を解決するために創案されたものであり、渋柿に簡単に取り付けることができ、渋柿を軟弱にする虞がない渋柿の脱渋用具及びそれを用いた樹上脱渋方法を提供することを目的とする。
【課題を解決するための手段】
【０００９】
本発明に係る渋柿の脱渋用具は、渋柿にアルコールを吸収させて脱渋させる渋柿の脱渋用具において、アルコール放出部と、粘着層を備えた貼着シートと、を備え、前記アルコール放出部は、前記貼着シートの前記粘着層側の表面に取り付けられ、前記貼着シートは、アルコール難透過性を備えたことを特徴とする。
【００１０】
この特定事項により、脱渋用具は、粘着層を介して渋柿に貼着することができ、渋柿に簡単に取り付けることができる。また、貼着シートは、アルコール難透過性を備えるためアルコールが渋柿以外の方向へ散逸する虞もない。さらに、本発明に係る脱渋用具は、渋柿の一部に貼り付けるだけでよく袋で渋柿全体を覆わないため、渋柿を軟弱にする虞がない。
【００１１】
また、前記アルコール放出部は、アルコールが吸収されたアルコール吸収材料であってもよい。この場合、アルコール放出部は固体となるため扱いが容易となる。また、一時に大量のアルコールが放出される虞もない。
【００１２】
また、前記アルコール放出部は、固形アルコールであってもよい。この場合、アルコール放出部を容易に作成することができる。また、アルコール放出部は有形の固体となるため扱いが容易となる。さらに、一時に大量のアルコールが放出される虞もない。
【００１３】
前記アルコール放出部は、包容部材で包まれ、該包容部材は、少なくとも渋柿に臨む側がアルコール透過性を備えていてもよい。この場合、アルコール放出部が包容部材で包まれているため、扱いがさらに容易となる。
【００１４】
前記貼着シートは、前記アルコール放出部が収容される断面略ハット形状に付形されたものであってもよい。この場合、アルコール放出部が収容される収容部の容積が大きくなり、アルコール放出部を大型化でき、渋柿に供給されるアルコールを充分な量にすることができる。
【００１５】
前記粘着層は、前記断面略ハット形状における鍔部のみに設けられてもよい。この場合、粘着剤を節約することができ、脱渋用具の製造コストを抑制することができる。
【００１６】
前記貼着シートは、渋柿に貼着するよう湾曲して形成されてもよい。この場合、貼着シートは渋柿に密着するため、渋柿の外部へ蒸散するアルコールを減らすことができる。また、脱渋用具を渋柿に貼着する作業も容易になる。
【００１７】
本発明に係る渋柿の脱渋用具は、渋柿にアルコールを吸収させて脱渋させる渋柿の脱渋用具において、前記アルコール放出部と、前記アルコール放出部が包容された包容部材と、を備え、前記包容部材は、渋柿に接触される接触面を備え、該接触面は、渋柿に粘着する粘着層を備えた粘着部と、渋柿に向かってアルコールを透過させるためのアルコール透過部と、を備え、前記包容部材の前記接触面以外の包容部が、アルコール難透過性を備えたことを特徴とする。
【００１８】
この特定事項により、包容部材自体に粘着層が設けられるため、貼着シートが不要となり、部品の数を減らせ製造コストを削減できる。また、脱渋用具に粘着層を備えた接触面が設けられるため、脱渋用具を渋柿に簡単に取り付けることができる。さらに、包容部材の前記接触面以外の包容部は、アルコール難透過性を備えるためアルコールが渋柿以外の方向へ散逸する虞もない。その上、本発明に係る脱渋用具は、渋柿の一部に貼り付けるだけでよく渋柿全体を袋で覆わないため、渋柿を軟弱にする虞がない。
【００１９】
前記粘着部は、前記接触面の周縁部に設けられてもよい。この場合、アルコール透過部全面を渋柿に近接させることができ、アルコールを効率よく渋柿に供給することができる。
【００２０】
本発明に係る渋柿の樹上脱渋方法は、収穫前の渋柿にアルコールを吸収させ渋柿の渋抜きを行う樹上脱渋方法において、前記脱渋用具を収穫前の渋柿に貼着することを特徴とする。
【００２１】
この特定事項により、渋柿の脱渋用具を樹上の渋柿に簡単に取り付けることができる。また、本発明に係る脱渋用具は、渋柿の一部に貼り付けるだけでよく渋柿全体を袋で覆わないため、渋柿を軟弱にする虞がない。
【００２２】
本発明に係る渋柿の樹上脱渋方法は、収穫前の渋柿にアルコールを吸収させ渋柿の渋抜きを行う樹上脱渋方法において、アルコール放出部を包容しアルコールを透過させるアルコール透過部を備えた包容部材を、収穫前の渋柿に、前記アルコール透過部を該渋柿に当接させて貼着することを特徴とする。
【００２３】
この特定事項により、渋柿の脱渋用具としての包容部材を樹上の渋柿に簡単に取り付けることができる。また、本発明に係る脱渋用具は、渋柿の一部に貼り付けるだけでよく渋柿全体を袋で覆わないため、渋柿を軟弱にする虞がない。
【発明の効果】
【００２４】
本発明によれば、渋柿の脱渋用具を樹上の渋柿に簡単に取り付けることができて渋味を抜くことができるとともに、渋柿を軟弱にする虞がない。
【図面の簡単な説明】
【００２５】
【図１】本発明に係る脱渋用具の一実施形態を示す（ａ）は斜視図、（ｂ）は正面図である。
【図２】本発明に係る脱渋用具の他の実施形態を示す（ａ）は斜視図、（ｂ）は正面図である。
【図３】本発明に係る脱渋用具のさらに他の実施形態を示す（ａ）は斜視図、（ｂ）は断面図である。
【図４】本発明に係る脱渋用具のさらに他の実施形態を示す（ａ）は斜視図、（ｂ）は正面図である。
【図５】本発明に係る脱渋方法の一実施形態を示す正面図である。
【図６】従来の脱渋用具及び脱渋方法を示す正面図である。
【発明を実施するための形態】
【００２６】
以下、本発明の実施形態について図１から図５までを参照して説明する。
【００２７】
−脱渋用具の構成−
本発明に係る脱渋用具１は、図１に示すように、アルコール放出部２と、片面に粘着層３１を備えた貼着シート３と、を備え、アルコール放出部２は、貼着シート３の粘着層３１側の中央部表面に取り付けられ、貼着シート３は、アルコール難透過性を備えている。脱渋用具１は、貼着シート３に設けられた粘着層３１を介して渋柿に貼着される。
【００２８】
アルコール放出部２は、０．５ｇ〜１．０ｇ程度のシリカに対して０．５ｇ〜１．０ｇ程度のエタノールを吸着させた粉末状物である。多孔質のシリカの表面にファンデルワールス力でエタノール分子が吸着されている。該エタノール分子は、熱運動によって孔から離れ、シリカから蒸散される。この場合、エタノールが吸着されるシリカの量が充分であるため、アルコール放出部２がべとつかず、取り扱いが容易となる。
【００２９】
なお、アルコール放出部２は、上記の重量に限られず、渋柿に充分なアルコールを供給できるよう１ｇ程度以上、柿の枝に負担とならないよう１００ｇ程度以下であればよい。
【００３０】
この粉末状のアルコール放出部２は、包容部材２０で包まれている。
【００３１】
包容部材２０は、紙／有孔ポリエチレンで構成されたフィルムを、ヒートシールにより外形４５×６５ｍｍ程度の小袋に成形したものである。紙及び有孔ポリエチレンの孔はエタノール分子の外径より大きくされる。このため、包容部材２０はエタノール透過性を備える。なお、包容部材２０は、上記の材質に限られず、少なくとも渋柿に臨む側がアルコール透過性を備えていればよい。これらの場合、アルコール放出部２で放出されたアルコールは包容部材２０を透過し渋柿に到達することができる。なお、包容部材２０は、上記の大きさに限られない。
【００３２】
貼着シート３は、例えば、ポリ塩化ビニリデン（ＰＶＤＣ）コートナイロン／直鎖状低密度ポリエチレンで構成された１００×１００ｍｍ程度の透明なシートであり、アルコール難透過性を備えている。この場合、貼着シート３が透明であるため、貼着シート３を貼り付けた渋柿の状態を視認できる。
【００３３】
貼着シート３には、片面の全面に粘着層３１が設けられている。粘着層３１は、例えば、アクリル酸エステル共重合体などのアクリル系エマルジョンタイプの粘着剤やそれを用いた両面テープで構成されている。
【００３４】
貼着シート３の粘着層３１側の中央部表面には、粘着層３１を介して包容部材２０が貼着されている。貼着シート３がアルコール難透過性を備えているため、アルコール放出部２から蒸散されるアルコールが渋柿以外の方向へ蒸散される虞はない。
【００３５】
なお、貼着シート３は、上記材料に限られず、ポリビニルアルコール（ＰＶＡ）延伸ポリプロピレン（ＯＰＰ）フィルム、エチレンビニルアルコール共重合体（ＥＶＯＨ）延伸ポリプロピレン（ＯＰＰ）系フィルム、延伸ポリプロピレン（ＯＰＰ）系フィルム、アルミナ蒸着フィルム、シリカ蒸着フィルムなどであってもよい。
【００３６】
これらの場合も、貼着シート３が透明であるため、貼着シート３を貼り付けた渋柿の状態を視認できる。
【００３７】
また、貼着シート３は、透明なものに限られず、アルミ箔、アルミ蒸着フィルムなど金属光沢を有するものであってもよい。この場合、貼着シート３が光を反射するため、日光により包容部材２０及びアルコール放出部２の温度が上昇しエタノールが過剰に蒸散される虞が無く、エタノールの蒸散を長時間持続できる。
【００３８】
貼着シート３は、白色に着色されたものであってもよい。この場合、貼着シート３の光の吸収性が小さいため、日光により包容部材２０及びアルコール放出部２の温度が上昇しエタノールが過剰に蒸散される虞が少なく、エタノールの蒸散を長時間持続できる。
【００３９】
貼着シート３は、黒色に着色されたものであってもよい。この場合、貼着シート３の光の吸収性が大きいため、日光により包容部材２０及びアルコール放出部２の温度を上昇させることができ、特に寒冷地などで熱運動によるエタノールの蒸散を促進させることができる。
【００４０】
さらに、貼着シート３は、周縁部に渋柿に貼着される領域が確保されていれば上記の大きさに限られず、手で扱い易いよう１０×１０ｍｍ程度以上、渋柿の全部を覆わないよう１２０×１２０ｍｍ程度以下であればよい。
【００４１】
貼着シート３は、渋柿に粘着するよう湾曲して形成されたものであってもよい。この場合、貼着シート３は渋柿に密着するため、渋柿の外部へ散逸するアルコールを減らすことができる。また、渋柿に粘着するよう湾曲しているため、渋柿に貼着する作業も容易になる。
【００４２】
なお、粘着層３１は、貼着シート３片面の全面にドット状に設けられていてもよい。この場合、渋柿と貼着シート３との間に縦横の隙間が生じるため渋柿表面の通気性が確保され、渋柿を軟弱にする虞がさらに低減される。
【００４３】
また、粘着層３１は、貼着シート３片面の全面に筋状に設けられていてもよい。この場合、渋柿と貼着シート３との間に筋状の隙間が生じるため渋柿表面の通気性が確保され、渋柿を軟弱にする虞がさらに低減される。
【００４４】
粘着層３１は、貼着シート３片面の周縁部のみに設けられていてもよい。この場合、粘着剤を節約することができ、脱渋用具１の製造コストを抑制することができる。
【００４５】
粘着層３１を構成する粘着剤は、人体に無害な粘着剤成分であれば、特に限定されるものではなく、例えば、アクリル酸エステル共重合体を粘着剤成分とする、エマルジョン系普通糊、溶剤系強粘糊、エマルジョン系強粘糊などを用いることができる。この場合、柿の食品としての安全性を向上させることができる。
【００４６】
また、粘着剤は、貼着シート３を剥がす際に渋柿の表面を傷めない粘着強度に調製されたものを用いるのがよい。この場合、渋柿の外観を美しく保つことができる。
【００４７】
貼着シート３は、図３に示すように、アルコール放出部２が収容される断面略ハット形状に付形されていてもよい。この場合、アルコール放出部２が収容される収容部の容積が大きくなり、アルコール放出部２を大型化でき、渋柿に供給されるアルコールを充分な量にすることができる。この場合、渋柿と貼着シート３との接触部の面積を縮小することもでき、その結果、貼着シート３で覆われない渋柿表面が拡大し、渋柿の通気性が確保され、渋柿を軟弱にする虞がさらに低減される。また、ハット部とそれに収容されるアルコール放出部２との高さを調節することにより、アルコールの放出が持続する時間を調節することもできる。
【００４８】
また、断面略ハット形状に付形された貼着シート３は、鍔部４のみがガス透過性を備えるものであってもよい。この場合、渋柿と貼着シート３との接触部において水分の透過性が確保され、渋柿を軟弱にする虞がさらに低減される。また、酸素、二酸化炭素の透過性も確保され、果実の呼吸や光合成を阻害する虞もない。さらに、渋柿のアルコール吸収性の高い部位を狙ってアルコール放出部２を貼着することもできる。この場合、脱渋効率を高めることができる。
【００４９】
使用前の脱渋用具１は、貼着シート３の中央部に包容部材２０が貼着された状態で、貼着シート３の周縁部の粘着層３１が離罫紙に貼着されている。離罫紙の基材には、例えば、ポリ塩化ビニリデン（ＰＶＤＣ）などが用いられ、アルコール難透過性が付与されている。このとき、使用前の脱渋用具１は、包容部材２０がアルコール難透過性を備えた貼着シート３と離罫紙とで密封されているため、包容部材２０内部のエタノールが脱渋用具１の外部へ蒸散される虞が少ない。
【００５０】
脱渋用具１は、その複数枚がロール状に巻かれて製造されてもよい。この場合、使用前の脱渋用具１は、包容部材２０がアルコール難透過性を備えた貼着シート３と前層の貼着シート３とで密封されるため、離罫紙が不要となる。
【００５１】
−脱渋用具の使用法（脱渋方法）−
脱渋用具１は、離罫紙に貼着した場合は、貼着シート３を離罫紙から剥がして使用する。ロール状に巻かれている場合は、貼着シート３を前層の貼着シート３から剥がして使用する。剥がした貼着シート３を、図５に示すように、収穫前の渋柿１００に貼着する。貼着した後、その状態を２４〜３６時間程度保つ。その後渋柿から脱渋用具１を剥がし、１ヶ月〜１ヶ月半後に渋柿を収穫する。この場合、脱渋用具１のアルコール放出部２と粘着部とが始めから一体となっているため、従来のような前日に固形アルコールを袋に入れるといった準備作業を必要としない。また、渋柿に脱渋用具１を取り付ける作業は、脱渋用具１を貼り付けるだけの作業で足りるため、足場が悪くても簡単に行うことができる。
【００５２】
上述した脱渋用具１は、渋柿の脱渋用具を渋柿に簡単に取り付けることができて渋味を抜くことができる。また、渋柿の一部に貼り付けるだけでよく渋柿全体を袋で覆わないため、渋柿を軟弱にする虞がない。さらに、構成が簡素なため、製造が容易でコストがかからない。その上、薄く嵩張らないため、保管や持ち運びが容易である。
【００５３】
なお、アルコール放出部２は、粉状体のような無形物ではなく、例えば、図２に示すように、有形の固体であってもよい。この場合、アルコール放出部２の外形を保持するため包容部材２０で包むことを省略でき、脱渋用具１の構成がさらに簡素になり、脱渋用具１の製造コストを低減することができる。
【００５４】
アルコール放出部２は、エタノールが吸着された顆粒状のシリカであってもよい。この場合、シリカが粉状でなく顆粒であるため、舞い上がったシリカを人が吸い込む虞が無くなり、安全性が増す。
【００５５】
アルコール放出部２は、一粒のシリカであってもよい。この場合、脱渋用具１が一粒のシリカと貼着シート３とで構成されるため、脱渋用具１が一層簡素になり、脱渋用具１の製造コストを低減することができる。
【００５６】
アルコール放出部２は、アルコールを含浸させた綿であってもよい。この場合、アルコールが液体の状態で渋柿に接触するので、浸透圧を利用して渋柿にアルコールを吸収させることができる。
【００５７】
アルコール放出部２は、固形アルコールであってもよい。この場合、固形アルコールは一般に流通しているため、アルコール放出部２を容易に調達することができる。さらに、一時に大量のアルコールが放出される虞もない。
【００５８】
粘着層３１は、図４に示すように、包容部材２０自体に設けられてもよい。すなわち、脱渋用具１は、アルコール放出部２と、アルコール放出部２が包容された包容部材２０と、を備え、包容部材２０は、渋柿に接触される接触面５を備え、接触面５は、渋柿に粘着する粘着層３１を備えた粘着部５０と、渋柿に向かってアルコールを透過させるためのアルコール透過部５２と、を備え、包容部材２０の接触面５以外の包容部２１が、アルコール難透過性を備えたものであってもよい。この場合、包容部材２０自体に粘着層３１が設けられるため、貼着シート３が不要となり、部品の数を減らせ製造コストを削減できる。また、包容部材２０に粘着層３１を備えた接触面５が設けられるため、脱渋用具１を渋柿に貼り付けるだけで取り付けることができる。さらに、包容部材２０の接触面５以外の包容部２１は、アルコール難透過性を備えるためアルコールが渋柿以外の方向へ散逸する虞もない。その上、この脱渋用具１は、渋柿の一部に貼り付けるだけでよく渋柿全体を袋で覆わないため、渋柿を軟弱にする虞がない。
【００５９】
粘着部５０は、接触面５の周縁部５３に設けられてもよい。この場合、アルコール透過部５２全面を渋柿に近接させることができ、アルコールを効率よく渋柿に供給することができる。
【００６０】
図４に示す脱渋用具１は、保存時のアルコールの蒸散を抑制するため、アルコール透過部５２に先述した離罫紙を当接させて保存する。また、脱渋用具１をアルコール難透過性の袋や缶などに入れて保存してもよい。この場合、離罫紙が不要になり、コストを削減できる。
【００６１】
上記実施形態では、脱渋用具１のアルコール放出部２と粘着部とが始めから一体となっていたが、本発明はこれに限られず、アルコール放出部２と粘着部とが別体になっており、渋柿に貼着する現場で一体とするものでもよい。すなわち、本発明に係る樹上脱渋方法は、アルコール放出部２を包容しアルコールを透過させるアルコール透過部を備えた包容部材２０を、収穫前の渋柿に、前記アルコール透過部を該渋柿に当接させて貼着するものであってもよい。この場合、貼着手段として汎用品の粘着剤、両面テープ、片面テープなどを利用できる。
【００６２】
また、該貼着手段は、複数片に分かれていてもよい。この場合、貼着に不必要な部分を節約して貼着できる。
【００６３】
アルコール放出部２と粘着部とが別体になった脱渋用具１で脱渋する場合は、使用前の包容部材２０内のアルコールが蒸散しないよう、あらかじめ包容部材２０をアルコール難透過性の袋や缶などに入れて保存する。
【符号の説明】
【００６４】
１        脱渋用具
２        アルコール放出部
２０      包容部材
２１      包容部
３        貼着シート
３１      粘着層
４        鍔部
５        接触面
５０      粘着部
５１      粘着層
５２      アルコール透過部
５３      周縁部
１００    渋柿
【図１】
2014007974.tif 000003
【図２】
2014007974.tif 000004
【図３】
2014007974.tif 000005
【図４】
2014007974.tif 000006
【図５】
2014007974.tif 000007
【図６】
2014007974.tif 000008